(57)【要約】【課題】表示部を有する第１の筐体と操作部を有する第２の筐体とを２軸ヒンジを介して連結することにより、表示部を表にしても裏にしても折り畳めるようにした折畳み式電子機器において、表示部を有する第１の筐体を薄く見えるようにする。【解決手段】表示部１１を有する第１の筐体１と操作部２１を有する第２の筐体２とを互いに開閉動作させる際に中心となる開閉軸３と、第１の筐体１と第２の筐体２を開いた状態で第１の筐体１を第２の筐体２に対し回動動作させる際に中心となる回動軸４とを備える折畳み式電子機器であって、回動軸４の中心線Ｃ２を、開閉軸３の中心線Ｃ１に対し側方に変位させる。具体的には、第１の筐体１と第２の筐体２とを互いに重ねた状態において、第２の筐体２と回動軸４の中心線Ｃ２との間に開閉軸３の中心線Ｃ１が位置する。【選択図】図１
2005295213.tif 000002
【特許請求の範囲】
【請求項１】
表示部を有する第１の筐体と操作部を有する第２の筐体とを互いに開閉動作させる際に中心となる開閉軸と、第１の筐体と第２の筐体を開いた状態で第１の筐体を第２の筐体に対し回動動作させる際に中心となる回動軸とを備える折畳み式電子機器であって、
前記回動軸の中心線を、前記開閉軸の中心線に対し側方に変位させたことを特徴とする折畳み式電子機器。
【請求項２】
第１の筐体と第２の筐体とを互いに重ねた状態において、第２の筐体と前記回動軸の中心線との間に前記開閉軸の中心線が位置することを特徴とする請求項１に記載の折畳み式電子機器。
【発明の詳細な説明】
【技術分野】
【０００１】
本発明は、表示部を有する第１の筐体と操作部を有する第２の筐体とを、表示部を表にしても裏にしても折り畳めるように２軸ヒンジを介して連結した折畳み式電子機器に関する。
【背景技術】
【０００２】
折畳み式の電子機器、特に携帯電話機において、表示部を表にしても裏にしても折り畳めるようにした２軸ヒンジ構造のものがある（例えば特許文献１、２参照）。
その２軸ヒンジ構造は、表示部を有する第１の筐体と操作部を有する第２の筐体とを開閉する際に中心となる開閉軸と、第１の筐体と第２の筐体を開いた状態で第１の筐体を第２の筐体に対し回動する際に中心となる回動軸とを備え、これら開閉軸と回動軸の中心線が互いに直交する構造であった。
【特許文献１】特開２００２−１７１１８９号公報
【特許文献２】特開２００３−１３３７６４号公報
【発明の開示】
【発明が解決しようとする課題】
【０００３】
しかし、表示部を有する第１の筐体は、第２の筐体に対し回動軸を中心に回動するものであり、その回動軸の中心線に対し表裏面の厚さが略均等配分されており、前述したように従来は回動軸の中心線が開閉軸の中心線に直交していたため、筐体が厚く見えるものとなっていた。
【０００４】
本発明の課題は、表示部を有する第１の筐体と操作部を有する第２の筐体とを２軸ヒンジを介して連結することにより、表示部を表にしても裏にしても折り畳めるようにした折畳み式電子機器において、表示部を有する第１の筐体を薄く見えるようにすることである。
【課題を解決するための手段】
【０００５】
以上の課題を解決するため、請求項１に記載の発明は、例えば図１から図９に示すように、表示部１１を有する第１の筐体１と操作部２１を有する第２の筐体２とを互いに開閉動作させる際に中心となる開閉軸３と、第１の筐体１と第２の筐体２を開いた状態で第１の筐体１を第２の筐体２に対し回動動作させる際に中心となる回動軸４とを備える折畳み式電子機器であって、前記回動軸４の中心線Ｃ２を、前記開閉軸３の中心線Ｃ１に対し側方に変位させたことを特徴とする。
【０００６】
請求項１に記載の発明によれば、第１の筐体と第２の筐体との開閉軸の中心線に対し側方に、開いた状態での第１の筐体と第２の筐体との回動軸の中心線を変位させたので、回動軸の中心線に対し表裏面の厚さが略均等配分される第１の筐体を薄く見せることが可能になる。
すなわち、操作部を有する第１の筐体は、回動軸の中心線に対し表裏面の厚さが略均等配分されることから、回動軸の中心線が開閉軸の中心線に対し側方に変位したことにより、例えば請求項２に記載の発明のようにすることで、表示部を有する第１の筐体が、操作部を有する第２の筐体に対し従来の２軸ヒンジ構造のものよりも薄く見えるようになる。
【０００７】
請求項２に記載の発明は、請求項１に記載の折畳み式電子機器であって、例えば図１から図９に示すように、第１の筐体１と第２の筐体２とを互いに重ねた状態において、第２の筐体２と前記回動軸４の中心線Ｃ２との間に前記開閉軸３の中心線Ｃ１が位置することを特徴とする。
【０００８】
請求項２に記載の発明によれば、筐体を互いに重ねた状態において、第２の筐体と回動軸の中心線との間に開閉軸の中心線が位置することで、第１の筐体の表裏面の厚さが略均等配分される回動軸中心線が開閉軸中心線を挟んで第２の筐体と反対側に変位するため、従来の２軸ヒンジ構造のものとの対比で相対的に第２の筐体を厚く見せて第１の筐体を薄く見せられる。
【発明の効果】
【０００９】
本発明によれば、回動軸の中心線を開閉軸の中心線に対し側方に変位させたため、回動軸の中心線に対し表裏面の厚さが略均等配分される第１の筐体を薄く見せることが可能になる。
具体的には、筐体を互いに重ねた状態において、第１の筐体の表裏面の厚さが略均等配分される回動軸中心線が開閉軸中心線を挟んで第２の筐体と反対側に変位させることにより、従来の２軸ヒンジ構造のものとの対比で相対的に第２の筐体を厚く見せて第１の筐体を薄く見せられるようになる。
【発明を実施するための最良の形態】
【００１０】
以下、図を参照して本発明を実施するための最良の形態を詳細に説明する。
本発明を適用した折畳み式電子機器の一実施形態として携帯電話機の構成を示す図１から図６において、１は第１の筐体、１１はメイン表示部、１２はサブ表示部、２は第２の筐体、２１は操作部、２２はカメラ部、２３はアンテナ部、３は開閉軸、４は回動軸である。
【００１１】
図示のように、第１の筐体１は、一面側にメイン表示部１１を有して他面側にサブ表示部１２を有している。第２の筐体２は、一面側に操作部２１を有して他面側にカメラ部２２を有しており、一端側にアンテナ部２３を有している。
そして、第１の筐体１と第２の筐体２は、図７から図９に示すように、一端側（図示例ではアンテナ２３側）において、開閉軸３を介して互いに開閉動作自在に組付けられている。さらに、第１の筐体１は、開閉軸３の中央に直角に位置する回動軸４に対し回転自在に、例えばカシメ結合により抜け止めして組付けられている。すなわち、第１の筐体１は、開閉軸３を中心として開いた状態の第２の筐体２に対し、回動軸４を中心として回転自在となっている。
【００１２】
このような開閉軸３及び回動軸４による２軸ヒンジにより第１の筐体１と第２の筐体２とを組付けた携帯電話機において、開閉軸３の中心線Ｃ１に対し回動軸４の中心線Ｃ２を側方に変位させた構造となっている。
すなわち、図１（ａ）、図２（ａ）及び図３（ａ）に示したように、第１の筐体１と第２の筐体２とを互いに重ねた状態において、第２の筐体２と回動軸４の中心線Ｃ２との間に開閉軸３の中心線Ｃ１が位置するよう構成している。そして、図示したように、第１の筐体１は、回動軸４の中心線Ｃ２に対し表裏面の厚さが略均等配分されて従来よりも厚みを若干薄くした形状となっており、第２の筐体２は、第１の筐体１を薄くした分だけ厚みを若干厚くした形状となっている。
【００１３】
以上の２軸ヒンジ構造とした携帯電話機によれば、図４から図６に示すように、第１の筐体１と第２の筐体２を互いに開いた状態において、メイン表示部１１を見ながら操作部２１の入力操作が行えて、カメラ部２２による撮影操作が行えるとともに、その撮影画像を確認できる。
また、第１の筐体１を回動軸４を中心に回動させて、図３に示したように、メイン表示部１１を表に向けて折り畳んだ状態においても、メイン表示部１１を見ながらカメラ部２２による撮影操作が行えるとともに、その撮影画像を確認できる。
【００１４】
そして、第１の筐体１と第２の筐体２を互いに重ねた状態において、図１（ａ）、図２（ａ）及び図３（ａ）に示したように、第２の筐体２と回動軸４の中心線Ｃ２との間に開閉軸３の中心線Ｃ１が位置している。つまり言い換えれば、第１の筐体１の表裏面の厚さが略均等配分される回動軸中心線Ｃ２が開閉軸中心線Ｃ１を挟んで第２の筐体２と反対側に変位するため、従来の２軸ヒンジ構造のものとの対比において、相対的に第２の筐体２を厚く見せて第１の筐体１を薄く見せることができる。
また、第１の筐体１と第２の筐体２を互いに開いた状態においては、図５に示したように、第２の筐体２と開閉軸３の中心線Ｃ１との間に回動軸４の中心線Ｃ２が位置しているため、従来の２軸ヒンジ構造のものとの対比において、全体としての厚さも薄く見せることができる。
【００１５】
なお、以上の実施形態においては、携帯電話機としたが、本発明はこれに限定されるものではなく、ＰＤＡなど他の携帯通信端末機器を含む折畳み式電子機器であっても良い。
また、筐体のデザイン等も任意であり、その他、具体的な細部構造等についても適宜に変更可能であることは勿論である。
【図面の簡単な説明】
【００１６】
【図１】本発明を適用した折畳み式電子機器の一実施形態の構成を示すもので、折り畳んだ状態の側面図（ａ）とその矢印Ａ方向から見た図（ｂ）である。
【図２】図１の折畳み式電子機器を反対側から見た側面図（ａ）とその矢印Ａ方向から見た図（ｂ）である。
【図３】図１の折畳み式電子機器において、第１の筐体を裏返した状態の側面図（ａ）とその矢印Ａ方向から見た図（ｂ）である。
【図４】図１の折畳み式電子機器を開いて操作部及び表示部を示した正面図である。
【図５】図４の開いた状態の折畳み式電子機器を一側方から見た側面図である。
【図６】図４の開いた状態の折畳み式電子機器を反対側から見た背面図である。
【図７】第２の筐体内組み込まれる操作部ユニット及び２軸ヒンジ構造部を拡大して示した斜視図である。
【図８】第２の筐体の中央縦断側面図である。
【図９】第１の筐体の中央縦断側面図である。
【符号の説明】
【００１７】
Ｃ１  開閉軸中心線
Ｃ２  回動軸中心線
１  第１の筐体
１１  メイン表示部
１２  サブ表示部
２  第２の筐体
２１  操作部
２２  カメラ部
３  開閉軸
４  回動軸
【図１】
2005295213.tif 000003
【図２】
2005295213.tif 000004
【図３】
2005295213.tif 000005
【図４】
2005295213.tif 000006
【図５】
2005295213.tif 000007
【図６】
2005295213.tif 000008
【図７】
2005295213.tif 000009
【図８】
2005295213.tif 000010
【図９】
2005295213.tif 000011